(57)【要約】  【課題】  小売店における包装用容器としての販売形態は維持しつつ、購入した消費者から相当な高率でトレイ本体を回収できるようにする。  【解決手段】  トレイ本体４の内面にコーティングシート５を剥離可能に貼着する。収納凹部４ａのコーティングシート５上に食品６を収納し、トレイ２の上面にトップシート３を貼着する。食品６を収納したコーティングシート５とトップシート３とを袋体７としてトレイ本体４から分離可能とする。袋体７の分離を容易にするために、上部フランジ４ｂの１つのコーナに切り込み８を設け、トップシート３とコーティングシート５の切り込み８から外側の部分をつまみ部７ａとし、上部フランジ４ｂの切り込み８から外側の部分を、つまみ部７ａと一体に分離できるようにする。【選択図】  図１
0003126658.tif 000002
【実用新案登録請求の範囲】
【請求項１】
トレイ本体の内面にコーティングシートを剥離可能に貼着してトレイを構成し、
前記トレイ本体の収納凹部のコーティングシート上に内容物を収納したのち、前記トレイの上面にトップシートを貼着してトレイを被覆する包装用容器において、
前記コーティングシートとトップシートとを前記トレイ本体から袋状に分離可能となした
ことを特徴とする包装用容器。
【請求項２】
前記トレイ本体の上部フランジの一部に折り割り可能な切り込みを設け、前記コーティングシートとトップシートの切り込みから外側の部分をつまみ部となし、前記上部フランジの切り込みから外側の部分を前記つまみ部と一体に分離できるようにした
ことを特徴とする請求項１記載の包装用容器。
【請求項３】
前記コーティングシートとトップシートの一部に、前記トレイ本体の上部フランジと非貼着の部分を設け、該非貼着部分をつまみ部とした
ことを特徴とする請求項１に記載の包装用容器。
【請求項４】
前記コーティングシートとトップシートの一部を、前記トレイ本体の上部フランジよりも外側へ突出させてつまみ部とした
ことを特徴とする請求項１に記載の包装用容器。
【考案の詳細な説明】
【技術分野】
【０００１】
本考案は、内面にコーティングシートを貼着したトレイ本体の上面をトップシートで被覆する構造の包装用容器に係り、特に食品用の容器としてリサイクルに適し、資源の有効活用と自然環境の保全に優れた包装用容器に関する。
【背景技術】
【０００２】
わが国で日々排出される一般廃棄物の中でも紙製やプラスチック製の容器包装が占める割合は、容量で約６０%，重量で約２０〜３０%と膨大な量であって、容器包装の処理は今や深刻な社会問題であり、この対策として、包装用容器の再利用は廃棄物を大幅に減少し、資源を循環させることによって自然環境の保全にもつながると捉えられている。
近年制定された容器包装リサイクル法では、家庭から一般廃棄物として排出される容器包装廃棄物のリサイクルシステムを確立するために、消費者が分別排出し、地方自治体が分別収集し、再生事業者が再商品化するという各々の役割分担を法的に規定して、より一層廃棄物の減量と資源の活用を図ったものとなっている。また、買い物袋の持参推奨や簡易包装の推進も限りある資源への取り組みではあるが、商品の包装自体を省くことはできない。
【０００３】
そこで、プラスチック製のトレイ本体の内面に、プラスチックシートを剥離可能にラミネートした食品用の包装用容器（以下、食品用の包装用容器を食品用容器という）が提案されており、トレイ本体に食品の汚れが直接付着しないために、シートを剥がすだけでトレイ本体をそのままリサイクルすることができ、したがってトレイの大半を占めるトレイ本体を再生材により成型することが可能となって、プラスチック容器の再生率が高まり資源の節約に寄与し、焼却処理を不要として環境保全にも寄与できるとしている（例えば特許文献１参照）。
【０００４】
さらに特許文献１の食品用容器には、切除部分のプラスチックシートの一部をツマミとすること、あるいはプラスチックトレイ本体の開口周縁にフランジを形成し、該フランジの一部に折り割り可能な切り込みを設けてこの折り割り片をツマミとすること、あるいはプラスチックシートの上にラミネートしたシール片をツマミとすること、あるいはプラスチックトレイ本体とプラスチックシートとの間に一部が突出するように介装したシール片をツマミとすること、あるいはトレイ成型前の長尺プラスチックシートの少なくとも左右何れか一辺にプラスチックシートの非接着部を設け、該非接着部をツマミとしてトレイを成型すること、あるいはプラスチックシートに対して同素材の蓋をヒートシールすること、プラスチックシートにプラスチックトレイ本体の開口に沿って切取線を周設すること、あるいは蓋の中心線上に開封線を設けるとともに、蓋に上記開封線を覆ってタックシールを貼着すること、あるいは文字、図形、色彩等の目印をツマミに設けること等も提案されている。
【特許文献１】特開２０００−３４４２２４号公報
【考案の開示】
【考案が解決しようとする課題】
【０００５】
しかしながら、スーパー等の小売店から消費者が一旦家庭に持ち帰ると、トレイ本体が小売店のトレイ回収箱に返却される数量は極めて少なく、その理由は、使用済みのトレイ本体をわざわざ小売店へ持参するのが面倒であるということにほかならない。
したがって、特許文献１の食品用容器のように、トレイ本体からプラスチックシートを剥がす構成がトレイの洗浄と乾燥を省略できるとはいっても、家庭内で一時保管したうえ小売店へ持参するという行為を消費者が煩わしいと感じる以上、トレイ本体の回収率アップにさしたる期待はできず、家庭で使用されたトレイ本体の大半が依然不燃物として廃棄されてしまうことが懸念される。
【０００６】
本考案はこのような実情を背景にしてなされたもので、その目的とするところは、小売店における包装用容器としての販売形態を維持しつつ、購入した消費者から相当な高率でトレイ本体を回収することができ、資源の有効活用と自然環境の保全に有益な包装用容器を提供することにある。
【課題を解決するための手段】
【０００７】
上記の目的を達成するため、本考案は、トレイ本体の内面にコーティングシートを剥離可能に貼着してトレイを構成し、前記トレイ本体の収納凹部のコーティングシート上に内容物を収納したのち、前記トレイの上面にトップシートを貼着してトレイを被覆する包装用容器において、前記コーティングシートとトップシートとを前記トレイ本体から袋状に分離可能となしたことを特徴としている。
【０００８】
さらに本考案は、トレイ本体の上部フランジの一部に折り割り可能な切り込みを設け、コーティングシートとトップシートの切り込みから外側の部分をつまみ部となし、上部フランジの切り込みから外側の部分を前記つまみ部と一体に分離できるようにしたり、あるいは、コーティングシートとトップシートの一部に、トレイ本体の上部フランジと非貼着の部分を設け、該非貼着部分をつまみ部としたり、コーティングシートとトップシートの一部を、トレイ本体の上部フランジよりも外側へ突出させてつまみ部とすることもできる。
【０００９】
本考案によれば、小売店が内容物を包装して店内外で展示して販売するまでの間は、内容物の商品包装形態を従前通りによく維持し、また消費者が購入したのちは、消費者が小売店でコーティングシートとトップシートとをトレイ本体から袋状に分離して、購入した内容物をコーティングシートとトップシートとの袋体形態で家庭に持ち帰ることとし、不要になったトレイ本体は店頭のトレイ回収箱に廃棄する。
【００１０】
このように、家庭への持ち帰りを敢えて必要としないトレイ本体は、消費者が購入した直後に小売店で分離してそのまま店頭で廃棄され、一方家庭への持ち帰りはトレイ本体を省いた必要最小限の袋状形態となる。
また、コーティングシートとトップシートにつまみ部を設けることにより、つまみ部を利用して袋状の内容物とトレイ本体との分離がワンタッチで簡便に行えるようになる。簡便な分離操作に役立つつまみ部は、持ち帰り不要なトレイ本体を積極的に廃棄していくよう消費者に促すので、トレイ本体の回収率がより高まる。
【００１１】
本考案のトレイ本体には、再生可能なプラスチック材料として、ポリスチレン（ＰＳ）やポリエチレン（ＰＥ），ポリプロピレン（ＰＰ）を厚みのある単層で用いるほか、薄いシート状にして複数枚を積層して用いることができる。また、コーティングシートやトップシートを、ポリプロピレン（ＰＰ）やポリスチレン（ＰＳ），ポリエチレン（ＰＥ）等で形成することにより、内容物を取り出して不要なった袋体を回収することにより、再利用化が図れる。
ポリプロピレン（ＰＰ）やポリスチレン（ＰＳ），ポリエチレン（ＰＥ）等の再生プラスチック材料で形成されたトレイ本体は小売店から再生事業者に運ばれ、再生トレイ本体その他の再生プラスチック製品として再利用される。また、コーティングシートやトップシートにも上述の再生プラスチック材利用を用いることにより、家庭から小売店または回収業者を通して再生事業者へ回収することにより、同じく再生プラスチック製品としての再利用が可能となる。
なお、トレイ本体やコーティングシート，トップシートが、ポリエチレンテレフタレート（ＰＥＴ）やポリ塩化ビニル（ＰＶＣ）で形成されている場合、これらのプラスチックを現在の技術で再生するのは困難であるが、将来これらを再利用できる技術が確立されれば、ポリエチレンテレフタレート（ＰＥＴ）やポリ塩化ビニル（ＰＶＣ）も再生プラスチック材料として回収対象となる。
【００１２】
本考案の包装用容器は、トレイを用いることの多い各種の食品用容器として好適であるが、トレイを用いて販売が可能な食品以外の他の商品を内容物とすることもできる。
コーティングシートとトップシートとは、トレイ本体から袋状に一体に剥がされるため、コーティングシートとトップシートにつまみ部がない場合には、コーティングシートとトップシートとの貼着力をトレイ本体とコーティングシートとの貼着力よりも弱く設定するおくことが望ましいが、コーティングシートとトップシートにつまみ部を設けた場合には必ずしもこの限りではない。
【考案の効果】
【００１３】
本考案の包装用容器によれば、消費者が小売店で購入したのちにトレイ本体を分離して店頭回収ができるので、家庭から持参しなければならなかった従来の回収方法に較べて高回収率が期待でき、資源の有効活用と自然環境の保全に貢献できる。
また、包装用容器の再利用に携わる各立場の利便性を列挙すると、小売店にあっては、トレイ本体の回収率がアップし、トレイ本体をきれいな状態のまま回収でき、トレイ回収箱の汚れや臭いの付着を極力回避できて衛生的である。また消費者にあっては、家庭への持ち帰り荷物が、トレイ本体を省いた軽量でコンパクトな必要最小限の袋状形態となるので、搬送時の負担が軽減され、家庭からのゴミの排出量が軽減され、トレイ本体を洗うための水と洗剤とを不要にできる。
さらに、市町村等の自治体にあっては、トレイ本体を効率で回収できるので資源の有効利用が図れ、一方では家庭からのゴミの排出量を削減できるで、廃棄物の発生を抑制（リデュース）と再使用（リュース）と再生利用（リサイクル）とを鼎立させた循環型社会を構築できる。また、再生事業者にあっては、大量のトレイ本体を安定して確保することが期待でき、回収されたトレイ本体の汚損が少ないので洗浄のための水と洗剤の使用を大幅に削減でき、再生プラスチックのコストダウンが図れる。
また、コーティングシートとトップシートとに引き剥がし用のつまみ部を設けることにより、袋体とトレイ本体との分離がワンタッチで簡便に行えるようになり、トレイ本体の回収率がより一層向上する。
【考案を実施するための最良の形態】
【００１４】
以下、本考案の包装用容器を食品用の容器として用いた各形態例を、図面に基づいて説明する。
図中、図１〜図５は本考案の第１形態例を示し、図１（ａ）〜（ｃ）は食品用容器の断面正面図、図２は同じく食品用容器の斜視図、図３は同じく食品用容器の平面図、図４は図３のＩＶ−ＩＶ断面図、図５はトレイ本体から収納物入り袋体を分離する状態を示す斜視図、図６及び図７は本考案の第２形態例を示し、図６は食品用容器の平面図、図７は図６のＶＩＩ−ＶＩＩ断面図、図８及び図９は本考案の第３形態例を示し、図８は食品用容器の平面図、図９は図８のＩＸ−ＩＸ断面図である。
図１〜図５の第１形態例に示す食品用容器１は、平面視矩形のトレイ２と、該トレイ２の上面を密封して覆うトップシート３とからなっている。トレイ２は、トレイ本体４の収納凹部４ａと上部フランジ４ｂとを含む内面全体にコーティングシート５を剥離可能にヒートシールして構成されており、前記トップシート３は、収納物である食品６を収納凹部４ａにコーティングシート５を介して収納したのち、コーティングシート５の上面外周部分にトップシート３をシートシールする。
【００１５】
すなわち、コーティングシート５をトレイ本体４にヒートシールしたまま、トレイ本体４の上部フランジ形状に相当するコーティングシート５の外周部分にトップシート３の外周部分を重ねてシートシールすることにより、トップシート３とコーティングシート５とからなる袋体７が構成され、該袋体７内に食品６が収容される構成となる。
【００１６】
図２〜図５に示すように、トレイ本体４の上部フランジ４ｂには、折り割り可能な切り込み８が１つのコーナ部の下側に刻設されており、上部フランジ４ｂの切り込み８から外側の三角形部分を折り割り片４ｃとなすとともに、該折り割り片４ｃに前記ヒートシールにて貼着されるトップシート３とコーティングシート５との三角形の部分を、トレイ本体４から袋体７を分離するためのつまみ部７ａとなしている。
【００１７】
前記トレイ本体４には、再生プラスチック材料であるポリスチレン（ＰＳ）やポリエチレン（ＰＥ），ポリプロピレン（ＰＰ）等を厚みのある単層で用いるほか、これらを薄いシート状にして複数枚を積層したものが用いられ、またトップシート３とコーティングシート５にも、ポリスチレン（ＰＳ）やポリエチレン（ＰＥ），ポリプロピレン（ＰＰ）等を用いて、家庭からの再生プラスチック資源として回収できるようにしている。
【００１８】
本形態例の食品用容器１は以上のように構成されており、スーパー等の小売店では図１（ａ），図２〜図４に示す従前通りの商品包装形態で展示され、販売される。また、消費者が購入したのちは、消費者が小売店において、折り割り片４ｃとつまみ部７ａとを一体につまんで切り込み８を支点にトレイ本体４の内部方向へ倒すことにより、図５に示すごとく折り割り片４ｃが切り込み８から分断されてつまみ部７ａと一体になる。
【００１９】
図１の（ｂ）では、つまみ部７ａと折り割り片４ｃとをさらにトレイ本体４の内部方向へ一体に牽引することによって、コーティングシート５がトレイ本体４から徐々に引き剥がされ、図１の（ｃ）では、コーティングシート５のすべてがトレイ本体４から引き剥がされて、食品６を収納した袋体７とトレイ本体４とが分離する。袋体７から分離されたトレイ本体４は、消費者の手によって小売店のトレイ回収箱に廃棄され、消費者は食品入りの袋体７のみを家庭に持ち帰る。
【００２０】
次に、本考案の第２，第３形態例を図６〜図９に基づいて説明する。なお、前記第１形態例と同一構成部分については、同一の符号を付して詳細な説明を省略する。
図６及び図７に示す第２形態例の食品用容器２０は、トレイ２の１つのコーナの全体を外側へ略半円弧状に突出させ、トップシート３とコーティングシート５とから、それぞれ外側へ略半円弧状に突出する部分同士はヒートシールで貼着されているが、トレイ本体４の上部フランジ４ｂから外側へ略半円弧状に突出する部分４ｄとは貼着されない非貼着部分とし、この非貼着部分を本形態例のつまみ部７ｂとなしている。
【００２１】
上記の通り、トップシート３とコーティングシート５の外側に突出するつまみ部７ｂは、トレイ本体４の上部フランジ４ｂから同様に外側へ突出する部分とは貼着されない非貼着部分であり、袋体７をトレイ本体４から分離するには、つまみ部７ｂのみを把持してこれをトレイ本体４の内部方向へ牽引することによって行われる。
【００２２】
図８及び図９に示す第３形態例の食品用容器３０は、トレイ２の１つのコーナにおいて、トップシート３とコーティングシート５とを一体に外側へ略半円弧状に突出させ、該突出部分を本形態例のつまみ部７ｃとしたもので、トレイ本体４と袋体７との分離には、トレイ本体４の上部フランジ４ｂから外側へ突出するつまみ部７ｂを把持し、これをトレイ本体４の内部方向へ牽引することによって行われる。
【図面の簡単な説明】
【００２３】
【図１】本考案の第１形態例を示す食品用容器の断面正面図である。
【図２】本考案の第１形態例を示す食品用容器の斜視図である。
【図３】本考案の第１形態例を示す食品用容器の平面図である。
【図４】本考案の第１形態例を示す図３のＩＶ−ＩＶ断面図である。
【図５】本考案の第１形態例を示すトレイ本体から収納物入り袋体を分離する状態を示す斜視図である。
【図６】本考案の第２形態例を示す食品用容器の平面図である。
【図７】本考案の第２形態例を示す図６のＶＩＩ−ＶＩＩ断面図である。
【図８】本考案の第３形態例を示す食品用容器の平面図である。
【図９】本考案の第３形態例を示す図８のＩＸ−ＩＸ断面図である。
【符号の説明】
【００２４】
１，２０，３０…食品用容器（本考案の包装用容器）
２…トレイ
３…トップシート
４…トレイ本体
４ａ…収納凹部
４ｂ…上部フランジ
４ｃ…折り割り片
５…コーティングシート
６…食品（収納物）
７…トップシート３とコーティングシート５とで構成される袋体
７ａ，７ｂ，７ｃ…つまみ部
８…切り込み
【図１】
0003126658.tif 000003
【図２】
0003126658.tif 000004
【図３】
0003126658.tif 000005
【図４】
0003126658.tif 000006
【図５】
0003126658.tif 000007
【図６】
0003126658.tif 000008
【図７】
0003126658.tif 000009
【図８】
0003126658.tif 000010
【図９】
0003126658.tif 000011